【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
複数のクライアント装置、複数のネットワークデバイスを管理するネットワーク管理装置であって、
前記複数のクライアント装置それぞれが何れのクライアントグループに属するかを示すクライアントグループ情報、前記複数のネットワークデバイスそれぞれが何れのデバイスグループに属するかを示すデバイスグループ情報を記憶管理すると共に、クライアントグループとデバイスグループとの論理的な接続関係情報を記憶する記憶管理手段と、
ネットワークからネットワークデバイスによる所定のネットワーク接続メッセージを受信した場合、前記記憶管理手段を参照することで、当該ネットワーク接続メッセージを発信したネットワークデバイスが何れのデバイスグループに属するかを判定し、判定されたデバイスグループと論理的な接続関係にあるクライアントグループを特定する特定手段と、
該特定手段で特定されたクライアントグループの構成メンバである各クライアント装置に対し、前記ネットワーク接続メッセージを発信したネットワークデバイスに対応するデバイスドライバのセットアップ要求メッセージを送信する送信手段と
を備えることを特徴とするネットワーク管理装置。
【請求項２】
前記特定手段は、ネットワークデバイスから当該ネットワークデバイスの構成に変化があったことを示すメッセージを受信した場合にも、前記クライアントグループを特定することを特徴とする請求項１に記載のネットワーク管理装置。
【請求項３】
更に、前記送信手段による前記セットアップ要求メッセージの送信を、前記特定手段で特定された直後に実行するのか、或いは、日時を指定し、当該指定された日時になった場合に実行するのかのシナリオを、各クライアントグループ毎に設定するシナリオ設定手段を備えることを特徴とする請求項１又は２に記載のネットワーク管理装置。
【請求項４】
更に、所望とするクライアントグループに属する各クライアント装置に対し、関連づけられたデバイスグループに属する各ネットワークデバイスのデバイスドライバのセットアップ要求メッセージを送信する手段を備えることを特徴とする請求項１乃至３のいずれか１項に記載のネットワーク管理装置。
【請求項５】
更に、前記ネットワークデバイスに設定するための設定情報を格納するデバイス設定情報格納手段と、
前記ネットワークを介して前記ネットワーク接続メッセージを受信した場合、当該ネットワーク接続メッセージの発信元のネットワークデバイスに対する設定情報を前記デバイス設定情報格納手段より読出し、前記発信元のネットワークデバイスに送信し、設定させる設定手段と
を備えることを特徴とする請求項１乃至４のいずれか１項に記載のネットワーク管理装置。
【請求項６】
前記設定手段による設定情報の送信を、前記ネットワーク接続メッセージを受信した直後に実行するのか、或いは、日時を指定し、当該指定された日時になった場合に実行するのかのシナリオを、各ネットワークデバイス毎に設定する第２のシナリオ設定手段を備えることを特徴とする請求項５に記載のネットワーク管理装置。
【請求項７】
複数のクライアント装置、複数のネットワークデバイスを管理すると共に、前記複数のクライアント装置それぞれが何れのクライアントグループに属するかを示すクライアントグループ情報、前記複数のネットワークデバイスそれぞれが何れのデバイスグループに属するかを示すデバイスグループ情報を記憶管理すると共に、クライアントグループとデバイスグループとの論理的な接続関係情報を記憶する記憶管理手段を備えるネットワーク管理装置の制御方法であって、
前記ネットワークからネットワークデバイスによる所定のネットワーク接続メッセージを受信した場合、前記記憶管理手段を参照することで、当該ネットワーク接続メッセージを発信したネットワークデバイスが何れのデバイスグループに属するかを判定し、判定されたデバイスグループと論理的な接続関係にあるクライアントグループを特定する特定工程と、
該特定工程で特定されたクライアントグループの構成メンバである各クライアント装置に対し、前記ネットワーク接続メッセージを発信したネットワークデバイスに対応するデバイスドライバのセットアップ要求メッセージを送信する送信工程と
を備えることを特徴とするネットワーク管理サーバの制御方法。
【請求項８】
複数のクライアント装置、複数のネットワークデバイスを管理すると共に、前記複数のクライアント装置それぞれが何れのクライアントグループに属するかを示すクライアントグループ情報、前記複数のネットワークデバイスそれぞれが何れのデバイスグループに属するかを示すデバイスグループ情報を記憶管理すると共に、クライアントグループとデバイスグループとの論理的な接続関係情報を記憶する記憶管理手段を備えるコンピュータに読込ませ、実行させることで、前記コンピュータをネットワーク管理装置として機能させるコンピュータプログラムであって、
前記ネットワークからネットワークデバイスによる所定のネットワーク接続メッセージを受信した場合、前記記憶管理手段を参照することで、当該ネットワーク接続メッセージを発信したネットワークデバイスが何れのデバイスグループに属するかを判定し、判定されたデバイスグループと論理的な接続関係にあるクライアントグループを特定する特定手段、
該特定手段で特定されたクライアントグループの構成メンバである各クライアント装置に対し、前記ネットワーク接続メッセージを発信したネットワークデバイスに対応するデバイスドライバのセットアップ要求メッセージを送信する送信手段
として機能させる特徴とするコンピュータプログラム。
【請求項９】
請求項８に記載のコンピュータプログラムを格納したことを特徴とするコンピュータ可読記憶媒体。
【請求項１０】
複数のクライアント装置、複数のネットワークデバイス、及び、前記複数のクライアント装置及び前記複数のネットワークデバイスを管理するネットワーク管理装置で構成されるネットワークシステムであって、
前記複数のネットワークデバイスそれぞれは、
電源投入時、或いは、ハードウェアが変更になった場合、ネットワーク参加、或いは、ハードウェア変更を示す第１のメッセージをネットワークにブロードキャスト送信する手段を備え、
前記複数のクライアント装置それぞれは、
前記ネットワークデバイスからの第１のメッセージに対して無応答であって、前記ネットワーク管理装置からの要求メッセージに応答するため、ネットワークから受信するメッセージを監視する監視手段と、
該監視手段の監視の下、前記ネットワーク管理装置が指定したネットワークデバイス用のデバイスドライバのセットアップ要求を示す第２のメッセージを受信した場合、デバイスドライバセットアップ処理を実行するデバイスドライバセットアップ手段とを備え、
前記ネットワーク管理装置は、
前記複数のクライアント装置それぞれが何れのクライアントグループに属するかを示すクライアントグループ情報、前記複数のネットワークデバイスそれぞれが何れのデバイスグループに属するか示すデバイスグループ情報を記憶管理すると共に、クライアントグループとデバイスグループとの論理的な接続関係情報を記憶する記憶管理手段と、
前記ネットワークから前記第１のメッセージを受信した場合、前記記憶管理手段を参照することで、当該ネットワーク接続メッセージを発信したネットワークデバイスが何れのデバイスグループに属するかを判定し、判定されたデバイスグループと論理的な接続関係にあるクライアントグループを特定する特定手段と、
該特定手段で特定されたクライアントグループの構成メンバである各クライアント装置に対し、前記第１のメッセージを発信したネットワークデバイスに対応するデバイスドライバのセットアップを要求するため前記第２のメッセージを送信する送信手段と
を備えることを特徴とするネットワークシステム。
【手続補正２】
【補正対象書類名】明細書
【補正対象項目名】００１２
【補正方法】変更
【補正の内容】
【００１２】
かかる課題を解決するため、例えば本発明のネットワーク管理装置は以下の構成を備える。すなわち、
複数のクライアント装置、複数のネットワークデバイスを管理するネットワーク管理装置であって、
前記複数のクライアント装置それぞれが何れのクライアントグループに属するかを示すクライアントグループ情報、前記複数のネットワークデバイスそれぞれが何れのデバイスグループに属するかを示すデバイスグループ情報を記憶管理すると共に、クライアントグループとデバイスグループとの論理的な接続関係情報を記憶する記憶管理手段と、
ネットワークからネットワークデバイスによる所定のネットワーク接続メッセージを受信した場合、前記記憶管理手段を参照することで、当該ネットワーク接続メッセージを発信したネットワークデバイスが何れのデバイスグループに属するかを判定し、判定されたデバイスグループと論理的な接続関係にあるクライアントグループを特定する特定手段と、
該特定手段で特定されたクライアントグループの構成メンバである各クライアント装置に対し、前記ネットワーク接続メッセージを発信したネットワークデバイスに対応するデバイスドライバのセットアップ要求メッセージを送信する送信手段とを備える。